(57)【要約】【課題】  バトミントンラケットなどグリップを有するスポーツ用具のグリップに巻き付け装着し、グリップエンドにストッパー部を容易に形成することができるとともに、ラケットの重量バランス調整も可能なラケットのグリップテープを提供することを目的とする。【解決手段】  ラケットのグリップに巻くテープであって、本体（１）は、柔軟性及び弾力性に優れた素材からテープ状に形成され、本体（１）の長手方向の始端部（１ａ）には、厚肉部（２）が形成され、該厚肉部（２）に続けて本体の終端部（１ｂ）方向に、櫛歯状部（３）、段部（４）、斜め部（５）を続けて形成して構成した。【選択図】図１
2015013082.tif 000002
【特許請求の範囲】
【請求項１】
ラケットのグリップに巻くテープであって、本体は、柔軟性及び弾力性に優れた素材からテープ状に形成され、本体の長手方向の始端部には、厚肉部が形成され、該厚肉部に続けて本体の終端部方向に、櫛歯状部、段部、斜め部を続けて形成したことを特徴とするラケットのグリップテープ。
【請求項２】
該櫛歯状部は、複数の凸片と開放部とを交互に繰り返して櫛歯のように形成したことを特徴とする請求項１に記載のラケットのグリップテープ。
【請求項３】
該段部は、該櫛歯状部の本体の終端部側に本体の半分程度の幅の位置まで斜め後方かつ下方にカットして形成するとともに、該段部の終了した斜め後方かつ下方の位置から本体の終端部側に向かって本体の幅に戻るまで斜めに形成した斜め部を形成したことを特徴とする請求項１または請求項２の何れかに記載のラケットのグリップテープ。
【発明の詳細な説明】
【技術分野】
【０００１】  本発明は、バトミントンラケット、硬式や軟式のテニスラケットなどグリップを有するスポーツ用具のグリップテープに関する。
【背景技術】
【０００２】  従来、バトミントンラケットや、硬式や軟式のテニスラケットなどのグリップには、あらかじめ、レザーやウレタン系素材のテープが巻かれているが、グリップの太さの調整のため、フィット感を向上させるため、滑り止め効果を得るため向上させるためなどの理由から、あらかじめ巻かれたテープの上からポリウレタンなどの素材からなるグリップテープを重ね巻いて使用することが一般的である。【０００３】  このようなグリップテープの一般的な先行技術としては、特開昭６２−３２０４３号公報（特許文献１）の「グリップテープ」及び、実開平２−６１３６９号公報（特許文献２）の「グリップテープ」などがある。【０００４】  また、バトミントンラケットにおいては、スウィング時に手から抜け飛ぶことを防止するためにグリップに比較してグリップエンドが太く形成されているが、さらに太くして抜け防止効果を高めるため、グリップテープの巻き方を各自工夫して巻いているケースがよく見受けられる。例えば、グリップテープをグリップエンドだけ多く巻いたり、グリップエンドに別なテープを巻いて太くした上に重ねてグリップテープを巻いたり、グリップテープのグリップエンドに巻く部分だけを幅方向に二つ折りにして厚く巻いたりなど各種方法が知られている。なおこのような先行技術文献については、特に発見できなかった。
【先行技術文献】
【特許文献】
【０００５】
【特許文献１】  特開昭６２−３２０４３号公報
【特許文献２】  実開平２−６１３６９号公報
【発明の概要】
【発明が解決しようとする課題】
【０００６】  前記（段落番号０００４）で述べた、バトミントンラケットのグリップエンドがさらに太くなるようにグリップテープを巻く方法においては、厚く巻いたグリップエンドからグリップにかけて径が急激に細くなるため、そのまま気にせず巻くと、グリップテープ自体の伸縮性が追いつかず、この部分のグリップテープにシワが生じてしまう。このような状態では、グリップした際に著しくフィット感に欠けるとともに、見映えが悪いとか、緩みが生じやすいといった課題があった。【０００７】  そこで本発明は、上記課題を解消し、バトミントンラケット、硬式や軟式のテニスラケットなどグリップを有するスポーツ用具のグリップに巻き付け装着し、グリップエンドにストッパー部を容易に形成することができるとともに、ラケットの重量バランス調整も可能なラケットのグリップテープを提供することを目的とする。
【課題を解決するための手段】
【０００８】  上記課題は本発明の請求項１によれば、ラケットのグリップに巻くテープであって、本体は、柔軟性及び弾力性に優れた素材からテープ状に形成され、本体の長手方向の始端部には、厚肉部が形成され、該厚肉部に続けて本体の終端部方向に、櫛歯状部、段部、斜め部を続けて形成したことで解決される。【０００９】  上記課題は本発明の請求項２によれば、該櫛歯状部は、複数の凸片と開放部とを交互に繰り返して櫛歯のように形成したことで解決される。【００１０】  上記課題は本発明の請求項３によれば、該段部は、該櫛歯状部の本体の終端部側に本体の半分程度の幅の位置まで斜め後方かつ下方にカットして形成するとともに、該段部の終了した斜め後方かつ下方の位置から本体の終端部側に向かって本体の幅に戻るまで斜めに形成した斜め部を形成したことで解決される。
【発明の効果】
【００１１】  本発明の請求項１によれば、ラケットのグリップに巻くテープであって、本体は、柔軟性及び弾力性に優れた素材からテープ状に形成され、本体の長手方向の始端部には、厚肉部が形成され、該厚肉部に続けて本体の終端部方向に、櫛歯状部、段部、斜め部を続けて形成して構成したので、グリップのグリップエンドの下端に該厚肉部を巻き付け、続けてグリップエンドのグリップと接続する傾斜した部分に、該櫛歯状部を巻き付け、さらに該斜め部を該櫛歯状部の上をカバーしつつグリップの上方に向かって巻き付けることで、グリップエンドの外径方向全周に膨らんだストッパー部を形成し、ラケットがスウィング時に手から抜け飛ぶことを防止するとともに、厚肉による微少な重量によって、ラケットの重量バランスの調整をすることも可能とした。【００１２】  本発明の請求項２によれば、該櫛歯状部は、複数の凸片と開放部とを交互に繰り返して櫛歯のように形成して構成したので、グリップのグリップエンドの下端に該厚肉部を巻き付け、続けてグリップエンドのグリップと接続する傾斜した部分に、凸片と開放部とを交互に繰り返して櫛歯のように形成した該櫛歯状部を巻き付けることで、グリップエンドのグリップと接続する傾斜した径の変化の著しい部位に巻き付ける際に、櫛歯状部の凸片先端が互いに寄って近づき開放部の端部側が狭まることで、シワが寄ることなく容易に巻くことを可能とした。【００１３】  本発明の請求項３によれば、該段部は、該櫛歯状部の本体の終端部側に本体の半分程度の幅の位置まで斜め後方かつ下方にカットして形成するとともに、該段部の終了した斜め後方かつ下方の位置から本体の終端部側に向かって本体の幅に戻るまで斜めに形成した斜め部を形成して構成したので、該斜め部が該櫛歯状部の上を収まりよくカバーして、容易に見映え良く美しくグリップテープを巻き付けることを可能とした。
【図面の簡単な説明】
【００１４】
【図１】ラケットのグリップテープの正面図である。
【図２】ラケットのグリップテープの要部部分拡大図である。
【図３】図２における平面図である。
【図４】グリップへの装着状態を示す図である。
【図５】グリップへの装着状態を示す図である。
【図６】グリップへの装着状態を示す図である。
【図７】グリップへの装着状態を示す図である。
【図８】斜め部の変形例を示す図である。
【図９】櫛歯状部の変形例を示す図である。
【発明を実施させるための形態】
【実施例１】
【００１５】  以下、本発明の第１の実施例を、図面を参照して説明する。図１は、ラケットのグリップテープの正面図、図２は、ラケットのグリップテープの要部部分拡大図、図３は、図２における平面図である。なお、グリップテープの本体（１）は、バトミントンラケット、硬式や軟式のテニスラケットなどグリップを有するスポーツ用具のグリップに装着されるが、特にグリップエンドが太いバトミントンラケットに好適に装着することができる。したがって、以下の説明及び図においては、バトミントンラケットのグリップに装着する例を用いて示す。【００１６】  ラケットのグリップテープの本体（１）は、柔軟性及び弾力性に優れたポリウレタンなどの素材からテープ状に形成されている。図１乃至図３に表されるように、本体（１）の長手方向の始端部（１ａ）には、厚肉部（２）が形成され、該厚肉部（２）に続けて終端部（１ｂ）方向に、櫛歯状部（３）、段部（４）、斜め部（５）が続けて形成される。【００１７】  厚肉部（２）は、図２に表されるように本体（１）と同様に、柔軟性及び弾力性に優れたポリウレタンなどの素材から５ｍｍ程度の厚みで、グリップ（６）のグリップエンド（６ａ）の下端に巻き付けたとき、グリップエンド（６ａ）の下端周囲の全周に１周巻き付けることができる長さで形成されている。また、厚肉部（２）は、本体（１）のテープ部（１ｃ）の裏側面に互いに重ね合わせ接着して形成されている。なお、テープ部（１ｃ）の厚肉部（２）を一体成形しても良いことはいうまでもない。【００１８】  櫛歯状部（３）は、図２に表されるように複数の凸片（３ａ）と開放部（３ｂ）が交互に繰り返されて櫛歯のように形成される。櫛歯状部（３）の長さは、グリップエンド（６ａ）に巻き付けたとき、おおむね１周巻き付けることができる長さとしている。【００１９】  段部（４）は、櫛歯状部（３）の後方、すなわち終端部（１ｂ）側にテープ（１ｃ）の半分程度の幅の位置まで斜め下方にカットして形成され、段部（４）の斜め下方の位置からさらに終端部（１ｂ）側に向かって形成される斜め部（５）を経て元のテープ（１ｃ）幅に戻るように形成される。【００２０】  以上のように形成されたラケットのグリップテープの本体（１）は、バトミントンラケット、硬式や軟式のテニスラケットなどグリップを有するスポーツ用具のグリップに装着されるが、特にグリップエンド（６ａ）が太いバトミントンラケットに好適に装着することができる。従って、以下の説明及び図においては、バトミントンラケットのグリップに装着する例を用いて示す。【００２１】  図４乃至図７は、グリップへの装着状態を示す図である。まず、図４から説明をする。図４は、グリップ（６）に本体（１）を装着する第１段階を表している。まず、グリップエンド（６ａ）の下端部（図においてはグリップ（６）を上下逆にしているので上端に表されている）に厚肉部（２）をあてがい、グリップエンド（６ａ）の全周に厚肉部（２）を巻く。このとき、厚肉部（２）に巻き始めた部分と巻き終わった部分の端部同士に隙間が生じず、かつ厚肉部（２）の端部同士が重ならないように巻き付ける。このとき、厚肉部（２）の長さがグリップエンド（６ａ）の全周の長さよりも長い���合は、カッターやハサミなどで、全周ちょうどの長さに調整する。【００２２】  図５は、図４の状態からさらにグリップ（６）に巻き付ける状態を（Ａ）（Ｂ）（Ｃ）の順を追って表している。図５（Ａ）は、図４の状態から櫛歯状部（３）をグリップエンド（６ａ）に巻き付けた状態である。図５（Ｂ）は、櫛歯状部（３）の上に斜め部（５）を巻き付けた状態である。斜め部（５）は、段部（４）によってテープ（１ｃ）の半分程度の幅分斜め下方に下がった位置から始まっているので、櫛歯状部（３）を自然に覆い隠すことができる。図５（Ｃ）は、さらにグリップ（６）に巻き付けた状態を表している。【００２３】  図６は、櫛歯状部（３）がグリップエンド（６ａ）に巻かれる状態を表している。グリップエンド（６ａ）は、その下端が最も太い径でグリップ（６）に接続される部分でほぼグリップ（６）の径と同一になる。したがって、グリップエンド（６ａ）の側面視は傾斜した台形形状を呈することになる。このように巻き付ける部分の径が極端に異なる部位に通常のグリップテープを巻き付けた場合、径の違いからグリップテープの幅方向の上部と下部で大きな寸法差が生じるため、細い径の側のグリップテープにシワが寄ってしまう。シワが寄らないように巻くには、太い径の部分のグリップテープを伸ばしながら巻き付けていく必要があり、グリップテープの伸縮性に頼らざるを得ず相当の熟練も必要である。また、グリップテープに伸縮性が不足している場合は、如何しようもない。【００２４】そこで、櫛歯状部（３）は、図６及び図２に表されるように、複数の凸片（３ａ）と開放部（３ｂ）が交互に繰り返されて櫛歯のように形成したことによって、巻き付ける部分の径が極端に異なる場合、特にバトミントンラケットのグリップエンド（６ａ）のように、最も径の太いグリップエンド下端からグリップと接続する傾斜した径の変化の著しい部位に巻き付ける場合であっても、櫛歯状部（３）の凸片（３ａ）先端が互いに寄って近づき開放部（３ｂ）の開放端部側の寸法が狭まることで巻き付ける部分の径の差を吸収する効果を得ることができる。これによって、シワが寄ることを完全に防止することを可能としたので、グリップテープを巻くことになれていない場合であっても、容易に見映え良く美しく確実にグリップテープを巻き付けることを可能とした。【００２５】  図７は、図４乃至図６の手順を経てグリップ（６）に巻き付け完成した状態を表している。グリップエンド（６ａ）には、厚肉部（２）によってグリップエンド（６ａ）の外径方向全周に膨らんだストッパー部（２１）を形成し、ラケットがスウィング時に手から抜け飛ぶことを防止する。また、厚肉による微少な重量によって、バトミントンラケットの重量バランスの調整をすることもできる。【００２６】  図８は、斜め部の変形例を示す図である。図１において斜め部（５）は、段部（４）から終端部（１ｂ）側に向かって直線で形成したが、図７における斜め部（５１）は、段部（４）から終端部（１ｂ）側に向かってテープ（１ｃ）の幅方向外方に膨出するように曲線で形成した。図７の斜め部（５１）の下方に示される破線が、直線で形成された斜め部（５）を示している。このように、斜め部（５１）を曲��で形成することによって、櫛歯状部（３）をさらに自然に覆い隠すことができるものである。【００２７】  図９は、櫛歯状部の変形例を示す図である。図１において櫛歯状部（３）は、複数の矩形の凸片（３ａ）と開放部（３ｂ）が交互に繰り返されて櫛歯のように形成しているが、図９（Ａ）に表される櫛歯状部（３１）は、複数の三角形の凸片（３１ａ）と開放部（３１ｂ）を交互に繰り返して櫛歯のように形成した。図９（Ａ）において凸片（３１ａ）の端部と開放部（３１ｂ）の奥側は平らにしているが、これは、本体（１）を抜き型で成形するため、抜き型の耐久性を考慮したものである。もちろん、平らにせずに鋭角であっても何ら効果に差し支えはない。また、図９（Ｂ）に表される櫛歯状部（３１）は、複数の円弧状の凸片（３１ａ）と開放部（３１ｂ）を交互に繰り返して櫛歯のように形成した。本発明において、櫛歯状部（３）（３１）の形状は、凸片（３ａ）（３１ａ）と開放部（３ｂ）（３１ｂ）とを交互に繰り返して櫛歯のように形成したものであれば、特に限定するものではない。
【符号の説明】
【００２８】１      本体
１ａ    始端部
１ｂ    終端部
１ｃ    テープ部
２      厚肉部
２１    ストッパー部
３、３１  櫛歯状部
３ａ、３１ａ  凸片
３ｂ、３１ｂ  開放部
４      段部
５      斜め部
５１    斜め部
６      グリップ
６ａ    グリップエンド
【図１】
2015013082.tif 000003
【図２】
2015013082.tif 000004
【図３】
2015013082.tif 000005
【図４】
2015013082.tif 000006
【図５】
2015013082.tif 000007
【図６】
2015013082.tif 000008
【図７】
2015013082.tif 000009
【図８】
2015013082.tif 000010
【図９】
2015013082.tif 000011